(57)【要約】【課題】  可収納台の台本体を台収納部に収納する際に台本体の収納動作に連動して蓋を自動的に閉じることができるが、台本体が展開して使用状態にあって蓋が開いているときに、台本体や蓋に無理な力が加わってもこれらの連動作用を損なうことがないようにすること。【解決手段】  可収納台１０の台本体１２は、この台収納部１４の中に垂直状態で収納され、使用時には、台収納部１４から引き出されて水平になるように回動して展開する。この可収納台１０は、台収納部１４の蓋１４Ｃを開いたり、台収納部１４から台本体１２を引き出したりする際に、台本体１２と蓋１４Ｃとは、噛み合い部１２Ｍ、１４Ｍで噛み合うが、この噛み合いは一時的であって蓋１４Ｃや台本体１２が所定位置を過ぎると、噛み合いが外れるので、台の使用位置で両者が機械的に連結されることはない。台本体１２を台収納部１４に収納する際に、噛み合い部１２Ｍ、１４Ｍが噛み合うと、台本体１２は、蓋１４Ｃを閉じながら収納される。台本体１２の収納後、噛み合い部１２Ｍ、１４Ｍは、噛み合いが外れる。【選択図】        図６
2006280509.tif 000002
【特許請求の範囲】
【請求項１】
水平展開位置と垂直収納位置とを可動する台本体と、前記台本体を垂直収納位置で収納する台収納部と、前記台本体を前記水平展開位置と垂直収納位置との間を可動するように支持する台支持機構とを備え、前記台収納部は、前記台本体が前記台収納部内に収納された後、前記台収納部を閉じる蓋を有し、且つ前記台本体の収納時に前記蓋を閉じるように前記台本体と前記蓋とを連動する連動手段を更に備えている可収納台において、前記連動手段は、前記台本体と前記蓋とにそれぞれ設けられ、前記台本体と前記蓋との相対的な移動によって機械的に噛み合うが、この相対的な移動が所定の位置を越えると、前記台本体と前記蓋との噛み合いが解放される噛み合い部から成り、前記台本体と前記蓋との噛み合い部は、前記台本体の収納方向への移動に基づく噛み合いによって前記蓋が機械的に引張られて前記蓋が自動的に閉じるように構成されていることを特徴とする可収納台。  
【請求項２】
請求項１に記載の可収納台であって、前記台本体と前記蓋とに設けられた噛み合い部の少なくとも一方は、前記蓋が閉じた後前記噛み合い部の噛み合いが解放されるように撓む弾性部材から成っていることを特徴とする可収納台。  
【請求項３】
請求項２に記載の可収納台であって、前記台本体と前記蓋とに設けられた噛み合い部は、いずれも、前記台本体または前記蓋にそれぞれ設けられた突部から成っていることを特徴とする可収納台。  
【請求項４】
請求項２又は２に記載の可収納台であって、前記弾性部材は、可撓性樹脂、板ばね、コイルばねのいずれかから形成されていることを特徴とする可収納台。
【発明の詳細な説明】
【技術分野】
【０００１】
本発明は、例えば、椅子の側壁に設けられた台収納部に垂直状態で収納した状態から椅子の前方に水平に展開してメモ台又は適宜の物体を搭載又は支持するのに用いられる可収納台の改良に関するものである。
【背景技術】
【０００２】
この種の可収納台は、一般に、水平展開位置と垂直収納位置との間を可動する台本体と、この台本体を垂直収納位置で収納する台収納部と、台本体を水平展開位置と垂直収納位置との間を可動するように支持する台支持機構とを備え、台収納部は、台本体が台収納部内に収納された後、台収納部を閉じる蓋を有する。    
【０００３】
従来技術の可収納台においては、台支持機構は、台本体が展開位置にあるときに扉をロックし、また台本体が台収納部の収納位置の直前で台本体の移動につれて蓋を自動的に閉じるようにするために、台収納部に収納されて台本体にアームを介して連結された支持軸と蓋に連結され支持軸が係合するロックレバーとを備えている（特許文献１参照）。    
【０００４】
しかし、このように、台本体と蓋とが支持軸とロックレバーとを介して連結されていると、例えば、可収納台が使用状態（水平展開位置）にあるときに、展開している台本体や開いている蓋に無理な力が加わった場合に、アームや支持軸やロックレバーの連結部分の弱いところで破損が生じて台本体と蓋とが連動しなくなる虞があった。    
【０００５】
また、台本体と蓋とを連動する機構は、アームと支持軸とロックレバーとの組み合わせの複雑な構成を有するので、組立が面倒で製造が高価となる欠点があった。    
【０００６】
【特許文献１】特許第３１２７１５４号公報
【特許文献２】特開平１１−１９６９７６号公報
【発明の開示】
【発明が解決しようとする課題】
【０００７】
本発明が解決しようとする１つの課題は、台本体を台収納部に収納する際にこの台本体の収納動作に連動して蓋を自働的に閉じることができるが、台本体が展開して使用状態にあって蓋が開いているときに、台本体や蓋に無理な力が加わってもこれらの連動作用を損なうことがないようにした可収納台を提供することにある。    
【０００８】
本発明が解決しようとする他の課題は、台本体と蓋との連動を簡単な構成で行うことができ、従って安価に製造することができる可収納台を提供することにある。
【課題を解決するための手段】
【０００９】
本発明の課題解決手段は、水平展開位置と垂直収納位置との間を可動する台本体と、この台本体を垂直収納位置で収納する台収納部と、台本体を水平展開位置と垂直収納位置との間を可動するように支持する台支持機構とを備え、台収納部は、台本体が台収納部内に収納された後、台収納部を閉じる蓋を有し、且つ台本体の収納時に蓋を自働的に閉じるように台本体と蓋とを連動する連動手段を更に備えている可収納台において、この連動手段は、台本体と蓋とにそれぞれ設けられ、台本体と前記蓋との相対的な移動によって機械的に噛み合うが、この相対的な移動が所定の位置を越えると、台本体と蓋との噛み合いが解放される噛み合い部から成り、台本体と蓋との噛み合い部は、台本体の収納方向への移動に基づく噛み合いによって蓋が機械的に引張られて蓋が自動的に閉じるように構成されていることを特徴とする可収納台を提供することにある。    
【００１０】
具体的な形態では、台本体と蓋との噛み合い部の少なくとも一方は、蓋が閉じた後噛み合い部の噛み合いが解放されるように撓む弾性部材から成っている。    
【００１１】
台本体と蓋との噛み合い部は、いずれも、台本体または蓋にそれぞれ設けられた突部から成っているのが好ましい。    
【００１２】
本発明の課題解決手段に用いられる弾性部材は、可撓性樹脂、板ばね、コイルばねのいずれであってもよい。
【発明の効果】
【００１３】
本発明によれば、上記のように、台本体を収納する際に蓋を自働的に閉じることができるが、台本体が台収納部から引き出されて展開した位置では台本体と蓋とは機械的に解放されていてこれらの間を連結する部分を有しないので、台本体や蓋に無理な力が加わっても連動手段が破損することはなく、台本体の収納時に蓋を自動的に閉じる機能が損なわれることがない。    
【００１４】
また、台本体の収納位置から使用位置にするために、蓋を開いたり、台本体を引き出したりする際に、台本体と蓋とは、噛み合い部で噛み合うが、この噛み合いは一時的であって蓋や台本体は、所定位置を過ぎると、噛み合いが外れて解放されるので、使用位置で両者が機械的に連結されることはない。    
【００１５】
更に、台本体と蓋との連動手段は、突部同士または突部と凹部との単純な構成であるので、可収納台全体の構造が簡単であって、材料の調達及び組立が容易で安価に製造することができる。
【発明を実施するための最良の形態】
【００１６】
本発明の実施の形態を図面を参照して詳細に述べると、図１乃至図３は、本発明が適用される可収納台１０を概略的に示し、この可収納台１０は、例えば、図示しない椅子の一方の側壁側に配置されてこの椅子に着座している者が台を展開したり収納したりして用いられる。図３（Ａ）乃至図３（Ｄ）では、可収納台１０の上板を取り外して上方から見ている状態を示しており、また図３（Ａ’）乃至図３（Ｄ’）では、可収納台１０の側板を取り外して側面から見ている状態を示す。    
【００１７】
図１乃至図３に示すように、可収納台１０は、水平展開位置ＨＤＰ（図２（Ａ）、（Ａ’）及び図３（Ａ）、（Ａ’）参照）と垂直収納位置ＶＣＰ（図２（Ｄ）、（Ｄ’）及び図３（Ｄ）、（Ｄ’）参照）との間を可動する台本体１２と、この台本体１２を垂直収納位置ＶＣＰで収納する台収納部１４と、台本体１２を水平展開位置ＨＤＰと垂直収納位置ＶＣＰとの間を可動するように支持する台支持機構１６とを備えている。    
【００１８】
図２及び図３の（Ａ）乃至（Ｃ）及び（Ａ’）乃至（Ｃ’）に示すように、台収納部１４は、台本体１２が水平展開位置ＨＤＰから垂直収納位置ＶＣＰの直前位置までの間は開いているが、台本体１２が台収納部１４内に完全に収納された後には、台収納部１４の開口(台本体１２の出入り口)を閉じる蓋１４Ｃを有する。    
【００１９】
また、可収納台１０は、台本体１２の収納時に台収納部１４の蓋１４Ｃを自働的に閉じるように台本体１２と蓋１４Ｃとを連動する連動手段２０を更に備えており、この連動手段２０は、図４以下を参照にして後に詳細に述べる。    
【００２０】
台収納部１４は、前面が開口している扁平なケース１４Ｂから成り、このケース１４Ｂは、図示しない椅子の一方の側部に適宜の手段で固定して取り付けられる。蓋１４Ｃは、図１に示すように、このケース１４Ｂの開口面にヒンジ１４Ｈで開閉自在に支持されている。    
【００２１】
台支持機構１６は、図３に示すように、台収納部１４の上方で開口に接近して設けられて台本体１２を垂直状態で回動したり（図３（Ｂ’）乃至（Ｄ’）参照）、垂直状態と水平状態の間を回動したりする（図３（Ａ’）と（Ｂ’）参照）回動軸１６Ｓを含んでいる。この台支持機構１６は、公知の構造であるのでその詳細な説明は省略するが、その構造は、例えば、特許文献２に記載されているような構造を有する。    
【００２２】
本発明の可収納台１０において、連動手段２０は、図４乃至図６に示すように、台本体１２と蓋１４Ｃとにそれぞれ設けられ、台本体１２と蓋１４との相対的な移動によって機械的に噛み合う（係合する）が、この相対的な移動が所定の位置を越えると、台本体１２と蓋１４Ｃとの噛み合いが外れて機械的に解放される噛み合い部１２Ｍ、１４Ｍから成っている。これらの噛み合い部１２Ｍ、１４Ｍは、後に述べるように、台本体１２の収納方向への移動に基づく噛み合い（係合）によって蓋１４Ｃが機械的に引張られて蓋１４Ｃを閉じるように構成されている。蓋１４Ｃが閉じられた後、台本体１２が更に完全に収納する位置まで移動すると、台本体１２と蓋１４Ｃとが機械的に解放される。    
【００２３】
図示の形態では、台本体１２の噛み合い部１２Ｍと蓋１４Ｃの噛み合い部１４Ｍが相互に噛み合った後、両者の相対的な位置の変動で相互の噛み合いを解放するために、噛み合い部１２Ｍ、１４Ｍの少なくとも一方は、弾性部材２０Ｒから成っている。    
【００２４】
図４乃至図６の例では、この弾性部材２０Ｒは、図７（Ａ）に示すように、取付座３０と球状頭部３２を有する弾性合成樹脂製の杆状体３４から成っているが、図７（Ｂ）に示すように、取付座３０と球状頭部３２を有する板ばね３６、図７（Ｃ）（Ｄ）に示すように、取付座３０と球状頭部３２を有するコイルばね３８Ａまたは円錐状コイルばね３８Ｂから成っていてもよい。なお、球状頭部３２は、噛み合いが円滑に行われるようにするためのものであり、従って、頭部３２は、相対的な移動方向にＲ部分を有すれば他の形状であってもよい。    
【００２５】
次に、本発明の可収納台１０の操作を述べる。両方の噛み合い部１２Ｍ、１４Ｍが突部の形態である可収納台１０の操作が図４乃至図６に示されている。    
【００２６】
まず、両方の噛み合い部１２Ｍ、１４Ｍが突部の形態である可収納台１０の操作を述べる。可収納台１０を使用状態（水平展開位置）にするために、台収納部１４の蓋１４Ｃを開く操作が図４に示され、同図に示ように、蓋１４Ｃを手で開こうとして蓋１４Ｃが図４（Ａ）から図４（Ｂ）の位置に枢動すると、蓋１４Ｃ側の弾性突部である噛み合い部１４Ｍが台本体１２側の堅い突部である噛み合い部１２Ｍに噛み合うが、台本体１２は大きな重量を有するので、台収納部１４から引き出されることなく元の位置のまま蓋１４Ｃ側の噛み合い部１４Ｍがその弾性によって撓みながら噛み合い部１２Ｍを乗り越え、この位置を越えると、噛み合い部１４Ｍは、噛み合い部１２Ｍから外れて蓋１４Ｃが開かれる（図４（Ｃ）参照）。    
【００２７】
このようにして、台収納部１４の開口が開いた後、図５（Ａ）に示すように、台本体１２を手で引き出すことができるが、台本体１２を引き出すと、台本体１２側の堅い突部である噛み合い部１２Ｍが蓋１４Ｃ側の噛み合い部１４Ｍに噛み合うが、台本体１２が更に引出されると、台本体１２側の噛み合い部１２Ｍは、蓋１４Ｃ側の噛み合い部１４Ｍを撓ませながらこの噛み合い部１４Ｍを乗り越え（図５（Ｂ）参照）、台本体１２が更に前進して台本体１２側の噛み合い部１２Ｍは、蓋１４Ｃ側の噛み合い部１４Ｍから外れる。従って、台本体１２は、蓋１４Ｃとの噛み合いに拘わらず、台収納部１４から完全に引き出すことができる。このようにして、台本体１２を台収納部１４の前方で回動軸１６Ｓを中心に回動して水平展開位置にすることができる（図２及び図３の（Ａ）（Ａ’）参照）。    
【００２８】
次に、台本体１２を使用状態（水平展開位置）から収納状態（垂直収納位置）にするには、台本体１２を図２及び図３の（Ａ）（Ａ’）の水平展開位置から図２及び図３の（Ｂ）（Ｂ’）の台本体１２の回動操作及びそれに続く引き戻し操作を経て図２及び図３の（Ｃ）（Ｃ）の位置に移動するが、この図２及び図３の（Ｃ）（Ｃ’）位置から台本体１２が台収納部１４に完全に収納される状態が図６に示されている。即ち、同図（Ａ）に示すように、蓋１４Ｃが開いた状態で台本体１２が台収納部１４に引き込まれると、台本体１２側の堅い突部の噛み合い部１２Ｍが蓋１４Ｃ側の弾性突部の噛み合い部１４Ｍに噛み合い、台本体１２の引き込みに伴って蓋１４Ｃを引張りながら移動する。このため、蓋１４Ｃは、台本体１２の引き込みに応じて閉じられる（図６（Ｂ）（Ｃ）参照）。蓋１４Ｃが完全に閉じられると、台本体１２側の噛み合い部１２Ｍは、蓋１４Ｃ側の噛み合い部１４Ｍから離反して噛み合いが外れる。    
【００２９】
このようにして、台本体１２を収納する際に蓋１４Ｃを自動的に閉じることができ、また台本体１２が台収納部１４に収納された位置及び台収納部１４から引き出されて展開した位置では台本体１２と蓋１４Ｃとは機械的に解放されていてこれらの間を連結する部分を有しない。従って、台本体１２や蓋１４
Ｃに無理な力が加わっても連動手段２０が破損することはなく、台本体１２の収納時に蓋１４Ｃを自動的に閉じる機能が損なわれることがない。    
【００３０】
また、台本体１２の収納状態（垂直収納位置）から使用状態（水平展開位置）にするために、蓋１４Ｃを開いたり、台本体１２を引き出したりする際に、台本体１２と蓋１４Ｃとは、噛み合い部１２Ｍ、１４Ｍで噛み合うが、この噛み合いは過渡的であり、蓋１４Ｃや台本体１２は、その相対位置が離れると、噛み合い部１２Ｍ、１４Ｍの噛み合いが外れるので、使用位置で両者が機械的に連結されることはない。
【産業上の利用可能性】
【００３１】
本発明によれば、台本体を収納する際に蓋を自動的に閉じることができるが、台本体が台収納部から引き出されて展開した位置では台本体と蓋とは機械的に解放されており、従って台本体や蓋に無理な力が加わっても連動部分が破損することはなく、台本体の収納時に蓋を自動的に閉じる機能を維持することができるので、産業上の利用性が向上する。
【図面の簡単な説明】
【００３２】
【図１】本発明に係わる可収納台の垂直収納位置であるが、蓋を開いた状態の斜視図である。
【図２】図１の可収納台の水平展開位置から垂直収納位置までの台の動きを示し、同図（Ａ）乃至（Ｄ）は、その上面図、同図（Ａ’）乃至（Ｄ’）は、その側面図である。
【図３】図２と同様であるが、同図（Ａ）乃至（Ｄ）は、その水平断面図、同図（Ａ’）乃至（Ｄ’）は、その側断面図である。
【図４】本発明の１つの実施の形態による可収納台の蓋開放操作の要部を順に示す水平拡大断面図である。
【図５】図１の可収納台の台引出操作の要部を順に示す水平拡大断面図である。
【図６】図１の可収納台の台収納操作の要部を順に示す水平拡大断面図である。
【図７】本発明に用いられることができる幾つかの弾性を有する突部（弾性部材）の斜視図である。
【符号の説明】
【００３３】
１０    可収納台  １２    台本体  １２Ｍ  噛み合い部  １４    台収納部  １４Ｃ  蓋  １４Ｂ  ケース  １４Ｈ  ヒンジ  １４Ｍ  噛み合い部  １６    台支持機構  １６Ｓ  回動軸  ２０    連動手段  ２０Ｒ  弾性部材  ３０    取付座  ３２    球状頭部  ３４    杆状体  ３６    板ばね  ３８Ａ  コイルばね  ３８Ｂ  コイルばね
【図１】
2006280509.tif 000003
【図２】
2006280509.tif 000004
【図３】
2006280509.tif 000005
【図４】
2006280509.tif 000006
【図５】
2006280509.tif 000007
【図６】
2006280509.tif 000008
【図７】
2006280509.tif 000009